(57)【要約】【課題】細菌やウィルスなどの浮遊微生物を除去する空気浄化装置において本体ケースを小型化し、風量の低減を抑制を目的とする。【解決手段】制御部１６の下方に制御部１６と風路４とを仕切る仕切板２５を備え、仕切板２５が風路４内に入り込み、ケーシング９の吸込口２０は、水平方向に中心軸を有する孔で、上部には水平方向に伸びた上部水平縁２１と、下部には水平方向に伸びた下部水平縁２２と、上部水平縁２１の一方側端部と下部水平縁２２の一方側端部とを繋ぐ円弧形状の一方側円弧縁２３と、上部水平縁２１の他方側端部と下部水平縁２２の他方側端部とを繋ぐ円弧形状の他方側円弧縁２４とを有する長円形で、仕切板２５は、ケーシング９における吸込口２０を備えたケーシング吸込口面２６の外面から水平方向に延び、上下方向が上部水平縁２１と羽根車の上端Ａとの間に配置されたものである。【選択図】図６
2017015286.tif 000002
【特許請求の範囲】
【請求項１】
吸気口と吹出口を有する本体ケースと、前記吸気口と前記吹出口とを連通する風路に設けた送風部と空気浄化部と、前記送風部と前記空気浄化部を制御する制御部とを備え、前記空気浄化部は、前記送風部より下方に配置され、水を貯水するトレーと、前記トレーに水を供給するタンクと、前記トレーに供給された水に下端が浸漬したフィルターと電極とを備え、前記送風部は、スクロール形状のケーシングと、前記ケーシングに固定されたモーターと、前記モーターによって回転する羽根車とを有し、前記制御部は、前記空気浄化部と前記送風部との間の前記風路の上方に配置され、前記制御部の下方に前記制御部と前記風路とを仕切る仕切板を備え、前記仕切板が前記送風部と前記空気浄化部との間の風路内に入り込み、前記ケーシングは、吐出口と吸込口とを有し、前記吸込口は、水平方向に中心軸を有する孔で、上部には水平方向に伸びた上部水平縁と、下部には水平方向に伸びた下部水平縁と、前記上部水平縁の一方側端部と前記下部水平縁の一方側端部とを繋ぐ円弧形状の一方側円弧縁と、前記上部水平縁の他方側端部と前記下部水平縁の他方側端部とを繋ぐ円弧形状の他方側円弧縁とを有する長円形で、前記仕切板は、前記ケーシングにおける前記吸込口を備えたケーシング吸込口面の外面から水平方向に延び、上下方向が前記上部水平縁と羽根車の上端との間に配置されたことを特徴とする空気浄化装置。
【請求項２】
前記上部水平縁は、前記下部水平縁とは同じ長さであることを特徴とする請求項１に記載の空気浄化装置。
【請求項３】
前記吸込口には、
前記一方側円弧縁から外方かつ前記孔の中心軸方向へ延びた一方側円弧突起部と、前記他方側円弧縁から外方かつ前記孔の中心軸方向へ延びた他方側円弧突起部と、前記一方側円弧突起部の下端と前記他方側円弧突起部の下端とを繋ぐ下部側円弧突起部と、前記一方側円弧突起部の上端から前記仕切板へ延びる延長一方側円弧突起部と、前記他方側円弧突起部の上端から前記仕切板へ延びる延長他方側円弧突起部とを備え、前記一方側円弧突起部と前記他方側円弧突起部と前記下部側円弧突起部と前記延長一方側円弧突起部と前記延長他方側円弧突起部とは、前記吸込口の中心軸に対する断面形状が一つの円弧形状となることを特徴とする請求項１また２に記載の空気浄化装置。
【発明の詳細な説明】
【技術分野】
【０００１】
本発明は、細菌やウィルスなどの浮遊微生物を除去する空気浄化装置に関する。
【背景技術】
【０００２】
従来、この種の空気浄化装置は、吸気口と吹出口を有する本体ケースと、吸気口と吹出口とを連通する風路に設けた送風部と空気浄化部とを備え、空気浄化部は、水を貯水するトレーと、トレーに水を供給するタンクと、トレーに供給された水に下端が浸漬したフィルターと電極と、送風部の風量を制御する制御部とを備えた構成が考えられている（特許文献１）。
【先行技術文献】
【特許文献】
【０００３】
【特許文献１】特開２０１５−８７７４号公報
【発明の概要】
【発明が解決しようとする課題】
【０００４】
従来より、病院、介護ホームの部屋で使用されるタイプである空気浄化装置では、入院、退院等の人の移動に伴い、空気浄化装置を各部屋へ移動させて使用するので、移動させやすいように小型化が望まれている。
【０００５】
しかしながら、水道水を電気分解して電解水を生成し、この電解水を用いて空気中に浮遊するウィルス等の除去を行う空気浄化装置は、送風部、空気浄化部、制御部を備えているので、空気浄化装置が大きくなる。
【０００６】
そのために、無駄な空間のない部品配置によって、空気浄化装置の小型化を行う必要がある。しかし、部品配置によっては、風路が狭くなり風量の低下に繋がるという課題がある。
【０００７】
そこで本発明は、小型化できる部品配置を行い、風量の低下を抑制する空気浄化装置を提供することを目的とする。
【課題を解決するための手段】
【０００８】
そして、この目的を達成するために、本発明は、吸気口と吹出口を有する本体ケースと、前記吸気口と前記吹出口とを連通する風路に設けた送風部と空気浄化部と、前記送風部と前記空気浄化部を制御する制御部とを備え、前記空気浄化部は、前記送風部より下方に配置され、水を貯水するトレーと、前記トレーに水を供給するタンクと、前記トレーに供給された水に下端が浸漬したフィルターと電極とを備え、前記送風部は、スクロール形状のケーシングと、前記ケーシングに固定されたモーターと、前記モーターによって回転する羽根車とを有し、前記制御部は、前記空気浄化部と前記送風部との間の前記風路の上方に配置され、前記制御部の下方に前記制御部と前記風路とを仕切る仕切板を備え、前記仕切板が前記送風部と前記空気浄化部との間の風路内に入り込み、前記ケーシングは、吐出口と吸込口とを有し、前記吸込口は、水平方向に中心軸を有する孔で、上部には水平方向に伸びた上部水平縁と、下部には水平方向に伸びた下部水平縁と、前記上部水平縁の一方側端部と前記下部水平縁の一方側端部とを繋ぐ円弧形状の一方側円弧縁と、前記上部水平縁の他方側端部と前記下部水平縁の他方側端部とを繋ぐ円弧形状の他方側円弧縁とを有する長円形で、前記仕切板は、前記ケーシングにおける前記吸込口を備えたケーシング吸込口面の外面から水平方向に延び、上下方向が前記上部水平縁と前記羽根車の上端との間に配置されたものであり、これにより所期の目的を達成するものである。
【発明の効果】
【０００９】
吸気口と吹出口を有する本体ケースと、前記吸気口と前記吹出口とを連通する風路に設けた送風部と空気浄化部と、前記送風部と前記空気浄化部を制御する制御部とを備え、前記空気浄化部は、前記送風部より下方に配置され、水を貯水するトレーと、前記トレーに水を供給するタンクと、前記トレーに供給された水に下端が浸漬したフィルターと電極とを備え、前記送風部は、スクロール形状のケーシングと、前記ケーシングに固定されたモーターと、前記モーターによって回転する羽根車とを有し、前記制御部は、前記空気浄化部と前記送風部との間の前記風路の上方に配置され、前記制御部の下方に前記制御部と前記風路とを仕切る仕切板を備え、前記仕切板が前記送風部と前記空気浄化部との間の風路内に入り込み、前記ケーシングは、吐出口と吸込口とを有し、前記吸込口は、水平方向に中心軸を有する孔で、上部には水平方向に伸びた上部水平縁と、下部には水平方向に伸びた下部水平縁と、前記上部水平縁の一方側端部と前記下部水平縁の一方側端部とを繋ぐ円弧形状の一方側円弧縁と、前記上部水平縁の他方側端部と前記下部水平縁の他方側端部とを繋ぐ円弧形状の他方側円弧縁とを有する長円形で、前記仕切板は、前記ケーシングにおける前記吸込口を備えたケーシング吸込口面の外面から水平方向に延び、上下方向が前記上部水平縁と前記羽根車の上端との間に配置されたことにより、本体ケースを小型化し、吸込口における上部と下部とから吸い込まれる風量のバランスを保ち、風量の低減を抑制する効果を得ることができる。
【図面の簡単な説明】
【００１０】
【図１】本発明の実施の形態１の空気浄化装置の斜視図
【図２】同空気浄化装置の断面図
【図３】同空気浄化装置の展開図
【図４】同空気浄化装置の内部を示す斜視図
【図５】同空気浄化装置のケーシングの吸込口を示す斜視図
【図６】同空気浄化装置のケーシングの吸込口を示す図
【発明を実施するための形態】
【００１１】
以下、本発明の実施形態について図面を参照しながら説明する。
【００１２】
（実施の形態１）
図１は、本発明の実施の形態１の空気浄化装置の斜視図である。図１は、空気浄化装置を背面側から見た斜視図である。
【００１３】
図１に示すように、本実施形態の空気浄化装置においては、略箱形状の本体ケース１により構成され、本体ケース１の背面には、略四角形状の吸気口２を設け、また本体ケース１の上面には、背面側に略四角形状の吹出口３を設けている。
【００１４】
図２は、本発明の実施の形態１の空気浄化装置の断面図である。図２は、空気浄化装置を右側から見た断面図である。図３は、本発明の実施の形態１の空気浄化装置の展開図である。図３は、本体ケースからタンクを外した状態で、空気浄化装置を背面側から見た斜視図である。
【００１５】
図２、図３に示すように、本体ケース１内には、吸気口２と吹出口３とを連通する風路４を備え、この風路４には、吸気口２から順に、空気浄化部５と、送風部６、吹出口３とを備えている。
【００１６】
送風部６は、本体ケース１の上部に設けられ、モータ７とモータ７により回転する羽根車８とそれらを囲むケーシング９とを備えている。
【００１７】
羽根車８は、シロッコファンで、モータ７から水平方向に延びたモータ軸（図示せず）に固定され、モータ７は、ケーシング９に固定されている。ケーシング９は、ケーシング９の本体ケース１における上面側に吐出口１９を備え、ケーシングの本体ケース１における前面側に吸込口２０を有している。
【００１８】
空気浄化部５は、水を貯水するトレイ１０と、トレイに水を供給するタンク１１と、トレイ１０内の水で電解水を生成する電極部材１２と、トレイ内の水に一部が浸漬したフィルター部分１３とを備えている。空気浄化部５は、送風部６より下方に配置されている。
【００１９】
トレイ１０は、天面を開口した箱形状をしており、水を貯水できる構造となっており、本体ケース１の下部に配置され、本体ケース１から水平方向にスライドして着脱可能となっている。
【００２０】
タンク１１は、本体ケース１内部の右側側面に、着脱自在に設置され、トレイ１０から着脱可能な構造となっている。
【００２１】
タンク１１はキャップ１４により密閉できる構造となっているが、トレイ１０にタンク１１を設置すると、キャップ１４に設けられた水栓が解放され、水がトレイ１０に供給される構造となっている。水面が水栓まで上昇してくると、水面によりタンク１１が密閉され、水の供給が停止し、常に一定量の水を供給することができる。
【００２２】
電極部材１２は、複数枚の電極板（図示せず）で構成されており、この電極板がトレイ１０内の水に浸かるように設置され、これらの電極部材１２に通電することによりトレイ１０内の塩化物イオンを含む水（本実施例では水道水に塩化ナトリウムを溶解させた水）を電気化学的に電気分解することにより、電解水を生成させる。
【００２３】
フィルター部分１３は、トレイ１０において電極部材１２により生成された電解水と、送風部６によって本体ケース１内に吸込まれた室内空気とを接触させる部材である。円筒状に構成され、円周部分に空気が流通可能な孔を備えたフィルター１５を配置し、その一端がトレイ１０の電解水に浸漬するように、トレイ１０に回転自在に内蔵されている。そして、駆動部（図示しない）による回転され、電解水と室内空気を連続的に接触させる構造となっている。
【００２４】
本体ケース１の上部には、空気浄化部５と送風部６とを制御する制御部１６を備えている。制御部１６は、基板部分１７と、基板部分を覆う基板ケース部分１８とを有している。
【００２５】
以上の構成において、空気浄化装置の動作を説明する。
【００２６】
タンク１１により水道水がトレイ１０に供給される。このときユーザーにより、塩化ナトリウムが同時にトレイ１０に投入される。塩化物イオンを含んだ水に対して、電極部材１２により通電され、電気分解して、活性酸素種を含む電解水を生成する。
【００２７】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００２８】
電解水は、フィルター部分１３の回転によりフィルター１５全体を浸漬し、送風部６により、吸気口２から本体ケース１内に吸込まれた室内空気と接触することになる。
【００２９】
室内空気とともに本体ケース１内に吸込まれる、空気中の細菌、真菌（カビ）、ウイルス、臭い成分などは、フィルター１５上で、電解水と接触することにより、分解、不活化などがなされ、浄化された空気が、吹出口３から、室内に供給されることになる。
【００３０】
図４は、本発明の実施の形態１の空気浄化装置の内部を示す斜視図である。図４は、本体ケースにおける前面から見た斜視図である。  図５は、本発明の実施の形態１の空気浄化装置のケーシングの吸込口を示す斜視図である。図５は、本体ケースにおける前面から見た斜視図である。図６は、本発明の実施の形態１の空気浄化装置のケーシングの吸込口を示す図である。図６は、本体ケースにおける前面から見た図である。
【００３１】
図４、５、６に示すように、ケーシング９の吸込口２０は、水平方向に中心軸を有する横長円形状の孔である。上部には水平方向に伸びた上部水平縁２１と、下部には水平方向に伸びた下部水平縁２２とを有している。上部水平縁２１の一方側端部と下部水平縁２２の一方側端部とを繋ぐ円弧形状の一方側円弧縁２３と、上部水平縁２１の他方側端部と下部水平縁２２の他方側端部とを繋ぐ円弧形状の他方側円弧縁２４とを有する。
【００３２】
本実施形態における特徴は、吸込口２０を水平方向に中心軸を有する横長円形状の孔とし、仕切板２５は、ケーシング９における吸込口２０を備えたケーシング吸込口面２６の外面から水平に延び、上下方向は吸込口２０の上部水平縁２１と羽根車の上端Ａとの間に配置された点である。
【００３３】
以上の構成によって、風路４内に仕切板２５が入り込み、仕切板２５の上方空間が下方に下がる。この上方空間に制御部１６を設けることができ、これにより、本体ケース１を小型化できる。
【００３４】
また、仕切板２５が送風部６と空気浄化部５との間の風路４内に入り込んだ場合に、吸込口２０の上部に上部水平縁２１と、吸込口２０の下部に下部水平縁２２とを備えていると、吸込口２０の上部に上部水平縁２１と、吸込口２０の下部に下部水平縁２２とを備えていない場合に比べ、風量の低下を抑制できる。まだ詳細には解明されていないが、吸込口２０の上部には水平方向に伸びた上部水平縁２１と、下部には水平方向に伸びた下部水平縁２２とを有し、仕切板２５は、ケーシング９における吸込口２０を備えたケーシング吸込口面２６の外面から水平に延び、上下方向は吸込口２０の上部水平縁２１と羽根車８の上端との間に配置されることにより、吸込口２０の周縁から偏りが少ない状態で、吸込口２０へ空気が流れ、風量の低下を抑制できると考えられる。
【００３５】
また、上部水平縁２１は、下部水平縁２２とは同じ長さである。これにより、まだ詳細には解明されていないが、更に、吸込口２０の周縁から偏りが少ない状態で、吸込口２０へ空気が流れ、風量の低下を抑制できると考えられる。
【００３６】
また、吸込口２０には、一方側円弧突起部２７と、他方側円弧突起部２８と、下部側円弧突起部２９と、延長一方側円弧突起部３０と、延長他方側円弧突起部３１とを備えている。
【００３７】
一方側円弧突起部２７は、一方側円弧縁２３から外方水平方向（本体ケース１における前面側）へ延びた円弧形状の板である。一方側円弧突起部２７は、ケーシング９と一体に樹脂成型されている。
【００３８】
他方側円弧突起部２８は、他方側円弧縁２４から外方水平方向（本体ケース１における前面側）へ延びた円弧形状の板である。他方側円弧突起部２８は、ケーシング９と一体に樹脂成型されている。
【００３９】
下部側円弧突起部２９は、一方側円弧突起部２７の下端と他方側円弧突起部２８の下端とを繋ぐ円弧形状の板である。下部側円弧突起部２９は、ケーシング９と一体に樹脂成型されている。
【００４０】
延長一方側円弧突起部３０は、一方側円弧突起部２７の上端から仕切板へ延びる円弧形状の板である。延長一方側円弧突起部３０は、ケーシング９と一体に樹脂成型されている。
【００４１】
延長他方側円弧突起部３１は、他方側円弧突起部２８の上端から仕切板へ延びる円弧形状の板である。延長他方側円弧突起部３１は、ケーシング９と一体に樹脂成型されている。
【００４２】
一方側円弧突起部２７と他方側円弧突起部２８と下部側円弧突起部２９と延長一方側円弧突起部３０と延長他方側円弧突起部３１とは、吸込口２０の中心軸に対する断面形状が一つの円弧形状となる。
【００４３】
一方側円弧突起部２７と他方側円弧突起部２８と下部側円弧突起部２９と延長一方側円弧突起部３０と延長他方側円弧突起部３１とは、水平方向に中心軸を備えた円筒の上部を水平面で切り取った形状である。
【００４４】
以上の構成によって、風切音を抑制できる。更に、一方側円弧突起部２７の下端と他方側円弧突起部２８の下端とを、下部水平縁２２から外方水平方向へ延びた直線形状の平板を設け繋げる場合に比べ、風切音を抑制できる。まだ詳細に解明されていないが、ケーシング吸込口面２６の円弧縁まわりの気流を整え、風切音を抑制できると考えられる。
【産業上の利用可能性】
【００４５】
本発明にかかる空気の空気浄化装置は、水道水を電気分解して電解水を生成し、この電解水を用いて空気中に浮遊するウィルス等の除去を行う空気清浄装置等として有用である。
【符号の説明】
【００４６】
１    本体ケース
２    吸気口
３    吹出口
４    風路
５    空気浄化部
６    送風部
７    モータ
８    羽根車
９    ケーシング
１０    トレイ
１１    タンク
１２    電極部材
１３    フィルター部分
１４    キャップ
１５    フィルター
１６    制御部
１７    基板部分
１８    基板ケース部分
１９    吐出口
２０    吸込口
２１    上部水平縁
２２    下部水平縁
２３    一方側円弧縁
２４    他方側円弧縁
２５    仕切板
２６    ケーシング吸込口面
２７    一方側円弧突起部
２８    他方側円弧突起部
２９    下部側円弧突起部
３０    延長一方側円弧突起部
３１    延長他方側円弧突起部
Ａ    羽根車の上端
【図１】
2017015286.tif 000003
【図２】
2017015286.tif 000004
【図３】
2017015286.tif 000005
【図４】
2017015286.tif 000006
【図５】
2017015286.tif 000007
【図６】
2017015286.tif 000008